(57)【特許請求の範囲】
【請求項１】
平底円筒形鋼製タンクの最下段側板で地震によって座屈変形が生じやすい箇所が含まれるタンクの底板上面からの所定高さ部位において、複数のＨ形鋼の縦ステーがＬ形鋼又は帯板鋼の連結材でブロック化され、かつ該縦ステーの一端面が側板外面に密着されて立設された支持枠体と、この支持枠体の内部及び又は支持枠体の外周面に張設され、かつ緊張されたＰＣ鋼線と、支持枠体間に連続的に打設されたコンクリートとで側板に発生するフープ荷重を負担させた耐震補強構造であることを特徴とするタンク側板の補強構造。
【請求項２】
平底円筒形鋼製タンクの最下段側板で地震によって座屈変形された箇所が含まれるタンクの底板上面からの所定高さ部位において、複数のＨ形鋼の縦ステーがＬ形鋼又は帯板鋼の連結材でブロック化され、かつ該縦ステーの一端面が側板外面の座屈変形された箇所に押付けられて設置された支持枠体と、前記側板外面と支持枠体との間に形成された空隙部に設置されるスペーサ及び又は矢と、この支持枠体の内部及び又は支持枠体の外周面に張設され、かつ緊張されたＰＣ鋼線と、支持枠体間に連続的に打設されたコンクリートとで側板に発生するフープ荷重を負担させた耐震補強構造であることを特徴とするタンク側板の補強構造。
【請求項３】
平底円筒形鋼製タンクの最下段側板で地震によって座屈変形を生じやすい箇所を含むタンクの底板上面からの所定高さ部位について、複数のＨ形鋼の縦ステーをＬ形鋼又は帯板鋼の連結材を用いてブロック化した支持枠体の縦ステーの一端面を側板外面に密着させて立設するステップと、複数本のＰＣ鋼線を支持枠体の内部及び又は外周面に設置して仮止めするステップと、コンクリート打設用型枠材を縦ステー間に落とし込んで設置するステップと、コンクリート打設後に発生する側圧に耐えるＰＣ鋼線を仮緊張するステップと、支持枠体間にコンクリートを連続的に打設するステップと、所定強度まで固化した後にＰＣ鋼線を本緊張するステップを有することを特徴とするタンク側板の補強構造の施工法。
【請求項４】
平底円筒形鋼製タンクの最下段側板で地震によって座屈変形を生じた箇所を含むタンクの底板上面からの所定高さ部位について、複数のＨ形鋼の縦ステーをＬ形鋼又は帯板鋼の連結材を用いてブロック化した支持枠体の縦ステーの一端面を側板外面の座屈変形を生じた箇所に押付けて設置するステップと、前記側板外面と支持枠体との間に形成された空隙部にスペーサ及び又は矢を設置するステップと、複数本のＰＣ鋼線を支持枠体の内部及び又は外周面に設置して仮止めするステップと、コンクリート打設用型枠材を縦ステー間に落とし込んで設置するステップと、コンクリート打設後に発生する側圧に耐えるＰＣ鋼線を仮緊張するステップと、支持枠体間にコンクリートを連続的に打設するステップと、所定強度まで固化した後にＰＣ鋼線を本緊張するステップとを有することを特徴とするタンク側板の補強構造の施工法。
【発明の詳細な説明】
【技術分野】
【０００１】
この発明は、水や石油などの液体、穀物や粉体などの固体、或いは乾式ガスなどの気体を貯蔵するタンクの側板の補強構造及びその施工法に関するものである。
【背景技術】
【０００２】
平底円筒形鋼製の各種タンクに関わる耐震設計基準については、幾度もの震災の経験を踏まえて強化されてきている。
そのため、既設タンクにあっては、耐震性能の向上を図るための補強工事を必要とされるタンクが存在する。
なかでも、危険物の液体を貯蔵するタンクにあっては、早急な補強を要するが、これまでの溶接を行う補強工事では、危険物液体を他のタンクに移送した後、更に洗浄や清掃を行った後でなければ補強工事に着手できず、タンクの規模にもよるが  ４ヶ月から１年程度の長期間を要する工事となる。そのため、設備の運用上、補強工事に直ぐには着手できない場合がある。更には、工事を実施するにあたっては、できる限り短期間での施工完了を求められる。
これらのタンクは、地震によって側板が座屈し変形などの損傷により貯蔵液が漏出する危険があり、更には浸水や津波によって浮いたり流されたりするなどの被害を生ずる心配もあった。
また、地震によってタンクの側板の一部が、変形や部分座屈、象脚型座屈などで損傷した場合には、これらのタンクは供用中であるため、貯蔵液を空にすることなく溶接などの火気を使用することなく、簡単に短期間で補修施工することも望まれていた。
【０００３】
タンクの部分補修に関する従来の発明技術がある。
例えば特許文献１（特開２００３−２０５９９５号公報）「ＰＣタンクの修復工法」の発明には、従来例１の図６（a）〜（c）に示すように、コンクリート側壁１外周に装着した既設緊張部材２が腐食で体積膨張したＰＣタンクに対して、腐食部を含む周辺の保護被覆層３を除去又は補強し、この被覆除去部又は被覆補強部に保護被覆層３より外周側へ突出する態様で定着構造部１０を構築すると共に、定着構造部１０を支持部として新たな追加緊張部材１３を設置した後に、腐食部を含む既設緊張部材２は定着構造部１０の両側で切断する構成が開示されている。
【０００４】
特許文献２（特開２００６−５６５２５号公報）「貯蔵タンクの補修方法」の発明には、従来例２の図７（a）〜（h）に示すように、燃料タンク１の周囲に側板上部５ａに連結する複数のジャッキ６を配置し、側板５の周囲を溶断し、側板上部５ａと側板下部５ｂとを縁切りし、各ジャッキ６を一斉にジャッキアップして側板上部５ａを側板下部５ｂから分離し、底板４及び側板下部５ｂを撤去し、撤去後の地盤に新設の底板４Ａを設置し、各ジャッキ６を一斉にジャッキダウンして側板上部５ａを新設の底板４Ａに接合し、接合位置に沿って溶接を行い側板上部５ａと底板４Ａを一体化する構成が開示されている。
【０００５】
特許文献３（特開平１０−１９４３８３号公報）「既設タンクの強度補強方法」の発明には、従来例３の図８（a）,(b)に示すように、複数の等辺山形鋼９を、その材軸方向がタンク側板３の高さ方向に沿って略鉛直に延びるように、タンク側板３の外周面の周方向に沿って所定ピッチで離間する複数位置にそれぞれ配設して、各等辺山形鋼９の両側縁部をタンク側板３外周面にそれぞれ溶接し、特に、タンク側板３の高さ方向の略全長に等辺山形鋼９を溶接固定するなどの構成が開示されている。
【先行技術文献】
【特許文献】
【０００６】
【特許文献１】特開２００３−２０５９９５号公報
【特許文献２】特開２００６−５６５２５号公報
【特許文献３】特開平１０−１９４３８３号公報
【発明の概要】
【発明が解決しようとする課題】
【０００７】
特許文献１（特開２００３−２０５９９５号公報）の従来例１の発明は、稼働中で側壁に貯蔵液体による内圧が作用しているＰＣタンクに対して修復が可能であり、ＰＣタンクを休眠させる経済的な損失を無くすと共に、更に長期間の使用を可能にする構造であるが、部分的に座屈したタンク側板を応急的に補修し修復するものではない。
【０００８】
特許文献２（特開２００６−５６５２５号公報）の従来例２の発明は、補修時期においてタンク底面とその近傍のみを交換するものであって、供用中のタンクの側板の一部を補強修復することはできない。
【０００９】
また、特許文献３（特開平１０−１９４３８３号公報）の従来例３の発明は、地震発生時の側板の変形や破損が発生する虞を回避できると共に、放爆構造とし得る既設タンクの強度補強方法であるが、鋼材を用いて側板の広範囲に施工するもので、大掛かりな溶接施工を必要とし、供用中のタンク側板の下部を対象として補強するものではない。
【００１０】
このように、従来例の発明技術は、いずれも側板を部分的又は全体に補修し修復するものであって、耐震強度が不足するタンクの側板を簡単に短期間に補強施工するものではなく、さらに地震で損傷した供用中のタンクについて、タンク側板の座屈損傷箇所を応急的に補修施工することに対して配慮したものではなかった。
【００１１】
この発明は上述のような従来技術が有する問題点に鑑みてなされたもので、その目的とするところは、耐震強度が不足するタンクを、供用中であってもタンク本体に溶接することなく簡単かつ短期間に補強施工し、側板の座屈変形の防止や底板の浮上がりの防止を図り、さらに、地震によってタンクの側板の一部が、変形や部分座屈、象脚型座屈などで損傷した場合には、溶接を行わずに簡単に短期間で補修施工して、損傷箇所が拡大し破壊などの二次被害を防止するタンク側板の補強構造及びその施工法を提供することにある。
【課題を解決するための手段】
【００１２】
請求項１の発明に係るタンク側板の補強構造は、平底円筒形鋼製タンクの最下段側板で地震によって座屈変形が生じやすい箇所が含まれるタンクの底板上面からの所定高さ部位において、複数のＨ形鋼の縦ステーがＬ形鋼又は帯板鋼の連結材でブロック化され、かつ該縦ステーの一端面が側板外面に密着されて立設された支持枠体と、この支持枠体の内部及び又は支持枠体の外周面に張設され、かつ緊張されたＰＣ鋼線と、支持枠体間に連続的に打設されたコンクリートとで側板に発生するフープ荷重を負担させた耐震補強構造であることを特徴とする。
【００１３】
請求項２の発明に係るタンク側板の補強構造は、平底円筒形鋼製タンクの最下段側板で地震によって座屈変形された箇所が含まれるタンクの底板上面からの所定高さ部位において、複数のＨ形鋼の縦ステーがＬ形鋼又は帯板鋼の連結材でブロック化され、かつ該縦ステーの一端面が側板外面の座屈変形された箇所に押付けられて設置された支持枠体と、前記側板外面と支持枠体との間に形成された空隙部に設置されるスペーサ及び又は矢と、この支持枠体の内部及び又は支持枠体の外周面に張設され、かつ緊張されたＰＣ鋼線と、支持枠体間に連続的に打設されたコンクリートとで側板に発生するフープ荷重を負担させた耐震補強構造であることを特徴とする。
【００１４】
請求項３の発明に係るタンク側板の補強構造の施工法は、平底円筒形鋼製タンクの最下段側板で地震によって座屈変形を生じやすい箇所を含むタンクの底板上面からの所定高さ部位について、複数のＨ形鋼の縦ステーをＬ形鋼又は帯板鋼の連結材を用いてブロック化した支持枠体の縦ステーの一端面を側板外面に密着させて立設するステップと、複数本のＰＣ鋼線を支持枠体の内部及び又は外周面に設置して仮止めするステップと、コンクリート打設用型枠材を縦ステー間に落とし込んで設置するステップと、コンクリート打設後に発生する側圧に耐えるＰＣ鋼線を仮緊張するステップと、支持枠体間にコンクリートを連続的に打設するステップと、所定強度まで固化した後にＰＣ鋼線を本緊張するステップを有することを特徴とする。
【００１５】
請求項４の発明に係るタンク側板の補強構造の施工法は、平底円筒形鋼製タンクの最下段側板で地震によって座屈変形を生じた箇所を含むタンクの底板上面からの所定高さ部位について、複数のＨ形鋼の縦ステーをＬ形鋼又は帯板鋼の連結材を用いてブロック化した支持枠体の縦ステーの一端面を側板外面の座屈変形を生じた箇所に押付けて設置するステップと、前記側板外面と支持枠体との間に形成された空隙部にスペーサ及び又は矢を設置するステップと、複数本のＰＣ鋼線を支持枠体の内部及び又は外周面に設置して仮止めするステップと、コンクリート打設用型枠材を縦ステー間に落とし込んで設置するステップと、コンクリート打設後に発生する側圧に耐えるＰＣ鋼線を仮緊張するステップと、支持枠体間にコンクリートを連続的に打設するステップと、所定強度まで固化した後にＰＣ鋼線を本緊張するステップとを有することを特徴とする。
【発明の効果】
【００１６】
請求項１の発明に係るタンク側板の補強構造は、平底円筒形鋼製タンクの最下段側板で地震によって座屈変形が生じやすい箇所が含まれるタンクの底板上面からの所定高さ部位において、複数のＨ形鋼の縦ステーがＬ形鋼又は帯板鋼の連結材でブロック化され、かつ該縦ステーの一端面が側板外面に密着されて立設された支持枠体と、この支持枠体の内部及び又は支持枠体の外周面に張設され、かつ緊張されたＰＣ鋼線と、支持枠体間に連続的に打設されたコンクリートとで側板に発生するフープ荷重を負担させた耐震補強構造であるので、
耐震強度が不足する中小規模の既設タンクの耐震強度を向上させることができる。経年劣化による側板の変形防止や底板の浮き上がり防止が図られ、この耐震補強構造とすることによって長く使い続けることができる。コンクリートによる補強構造とすることができるとともに、緊張されたＰＣ鋼線で側板に発生するフープ荷重を負担させることにより、側板の強度を増し安全性を向上させることが出来る。
地震によって座屈変形を生じやすい箇所を含むタンクの最下段側板の底板上面からの所定高さにわたる部位が変形や部分座屈、象脚型座屈などの損傷が生じることがなく、地盤の浸水や津波によって浮いたり流されたりするなどの被害が生ずる心配もなくなる。
【００１７】
請求項２の発明に係るタンク側板の補強構造は、平底円筒形鋼製タンクの最下段側板で地震によって座屈変形された箇所が含まれるタンクの底板上面からの所定高さ部位において、複数のＨ形鋼の縦ステーがＬ形鋼又は帯板鋼の連結材でブロック化され、かつ該縦ステーの一端面が側板外面の座屈変形された箇所に押付けられて設置された支持枠体と、前記側板外面と支持枠体との間に形成された空隙部に設置されるスペーサ及び又は矢と、この支持枠体の内部及び又は支持枠体の外周面に張設され、かつ緊張されたＰＣ鋼線と、支持枠体間に連続的に打設されたコンクリートとで側板に発生するフープ荷重を負担させた耐震補強構造であるので、
地震によってタンクの側板の一部が、変形や部分座屈、象脚型座屈などで損傷した場合、座屈箇所の凹凸部にスペーサ及び又は矢が用いられて垂直面が調整されて確りと力を伝達させ、縦ステーとコンクリートと緊張されたＰＣ鋼線で確りと側板に発生するフープ荷重を負担させる耐震補強構造となり、鋼製側板の座屈部塑性変形の拡大や、その変形箇所の破壊を抑制する構造体にすることが出来る。
【００１８】
請求項３の発明に係るタンク側板の補強構造の施工法は、平底円筒形鋼製タンクの最下段側板で地震によって座屈変形を生じやすい箇所を含むタンクの底板上面からの所定高さ部位について、複数のＨ形鋼の縦ステーをＬ形鋼又は帯板鋼の連結材を用いてブロック化した支持枠体の縦ステーの一端面を側板外面に密着させて立設するステップと、複数本のＰＣ鋼線を支持枠体の内部及び又は外周面に設置して仮止めするステップと、コンクリート打設用型枠材を縦ステー間に落とし込んで設置するステップと、コンクリート打設後に発生する側圧に耐えるＰＣ鋼線を仮緊張するステップと、支持枠体間にコンクリートを連続的に打設するステップと、所定強度まで固化した後にＰＣ鋼線を本緊張するステップを有するので、
縦ステーとコンクリートと緊張させたＰＣ鋼線で確りと側板に発生するフープ荷重を負担する耐震補強をすることが出来る。
また、供用中のタンク設備であっても、予め工場で必要な部材を製作し、現地では溶接などの火気を使用することなく組立て施工を簡素化することにより、作業性良く短期間に耐震補強することが出来る。
地震によって変形や部分座屈、象脚型座屈などで損傷しやすいタンクの側板を、縦ステーとコンクリートと緊張させたＰＣ鋼線で確りと耐震補強することが出来る。
【００１９】
請求項４の発明に係るタンク側板の補強構造の施工法は、平底円筒形鋼製タンクの最下段側板で地震によって座屈変形を生じた箇所を含むタンクの底板上面からの所定高さ部位について、複数のＨ形鋼の縦ステーをＬ形鋼又は帯板鋼の連結材を用いてブロック化した支持枠体の縦ステーの一端面を側板外面の座屈変形を生じた箇所に押付けて設置するステップと、前記側板外面と支持枠体との間に形成された空隙部にスペーサ及び又は矢を設置するステップと、複数本のＰＣ鋼線を支持枠体の内部及び又は外周面に設置して仮止めするステップと、コンクリート打設用型枠材を縦ステー間に落とし込んで設置するステップと、コンクリート打設後に発生する側圧に耐えるＰＣ鋼線を仮緊張するステップと、支持枠体間にコンクリートを連続的に打設するステップと、所定強度まで固化した後にＰＣ鋼線を本緊張するステップとを有するので、
変形し座屈、象脚型座屈などで損傷を生じた側板を、タンク供用中に応急の補修施工が可能となり、損傷箇所の破損の拡大防止、二次被害の防止をすることができる。
供用中のタンク設備であっても、予め工場で必要な部材を製作し、現地では溶接などの火気を使用することなく組立て施工を簡素化することにより、作業性良く短期間に耐震補強することが出来る。
【図面の簡単な説明】
【００２０】
【図１】本発明に係るタンク側板の補強構造の全体側面説明図である。
【図２】本発明に係るタンク側板の補強構造の全体平面説明図である。
【図３】図２のＡ部で座屈変形が生じやすい箇所の耐震補強構造を示す斜視説明図である。
【図４】図２のＢ部で座屈変形が生じやすい箇所の耐震補強構造を示す斜視説明図である。
【図５】座屈変形された箇所の修復補強構造を示す側断面説明図である。
【図６】従来例１の構造を示す説明図である。
【図７】従来例２の構造を示す説明図である。
【図８】従来例３の構造を示す説明図である。
【発明を実施するための形態】
【００２１】
本発明に係るタンク側板の補強構造の実施形態例について図１から図５を参照しながら説明する。本発明は下記の実施形態にのみ限定されるものではない。本発明の要旨を逸脱しない範囲で下記の実施形態に変更（例えば構成要素の省略または付加、構成要素の形状の変更等）を加えることが出来るのはもちろんである。なお、図は概略を示すもので、一部のみを描き詳細構造は省略した。また、この構造は、既設のタンクに形成した場合を示すが、新規のタンクに採用しても良い。
【００２２】
図１は平底円筒形鋼製のタンク１の全体側面説明図で、２は側板、３は基礎、４は底板、５は屋根である。この発明によるタンク側板の補強構造は、支持枠体６と、コンクリート７と、ＰＣ鋼線８とで形成される。
図のように、タンク１の最下段側板２の底板４上面からの所定高さにわたる部位２ａ（図５には地震などで損傷した座屈変形が生じた箇所２ｂが含まれている）において、側板２外面に一端面が密着されるように支持枠体６が立設され、この支持枠体６の外周面に複数列リング状にＰＣ鋼線８が張設され、この支持枠体６の間に連続的にコンクリート７が打設され側板に発生するフープ荷重を負担させる耐震補強構造に形成される。
【００２３】
図２は、本発明に係るタンク側板の補強構造の全体平面説明図で、１は平底円筒形鋼製のタンク、２は側板、５は屋根である。
この発明によるタンク側板の補強構造は、縦ステー６ａと、コンクリート７と、ＰＣ鋼線８とで形成される。１１は緊張接続具で、ＰＣ鋼線８にテンションが与えられて緊張されている。
【００２４】
図３は、図２のＡ部で座屈変形が生じやすい箇所の耐震補強構造を示す斜視説明図で、Ｈ形鋼などの縦ステー６ａとＬ形鋼や帯板鋼などの連結材６ｂでブロック化された支持枠体６が、該縦ステー６ａの一端面が側板２外面に密着されて立設されている。この支持枠体６の縦ステー６ａの外周面にＰＣ鋼線セット用フック１０が設けられ、このＰＣ鋼線セット用フック１０にＰＣ鋼線８が引掛け支持されて複数列周方向に張設されている。
支持枠体６の縦ステー６ａ，６ａ間の内側にコンクリート打設用型枠材９が差込んで固定され、このコンクリート打設用型枠材９の内部に連続的にコンクリート７が打設されている。所定のコンクリート固化強度が得られた時期に、ＰＣ鋼線８に所定強度のテンションが与えられている。
なお図示はしないが、ＰＣ鋼線はコンクリートの内部にも、複数列周方向にテンションが与えられて張設された構造であってもよい。
【００２５】
図４は、図２のＢ部で座屈変形が生じやすい箇所の耐震補強構造を示す斜視説明図で、縦ステー６ａの外周面に緊張接続具１１が設置されている。
この緊張接続具１１を用いて、ＰＣ鋼線セット用フック１０に引掛け支持させて設置されたＰＣ鋼線８にテンションが与えられている。
【００２６】
図５は、座屈変形された箇所の修復補強構造を示す側断面説明図で、２は側板、３は基礎、４は底板、この発明に係るタンク側板の補強構造は縦ステー６ａと、コンクリート７と、ＰＣ鋼線８とで形成される。２ａはタンク１の最下段側板２の底板４上面からの所定高さ部位、２ｂは側板２の座屈変形された箇所を示す。
図のように縦ステー６ａが立設される際に、該縦ステー６ａと側板２の座屈変形された箇所２ｂとの間に形成された下部の隙間に木製角材のスペーサ１２が当てがわれ、上部の隙間に木製クイ状の矢１３が打込まれ、さらに縦ステー６ａ外側に、サポートとなる傾斜材１４、ベース板１５、アンカー１６が設けられて固定されている。
図示例は、ＰＣ鋼線８が外周ＰＣ鋼線８ａ，内部ＰＣ鋼線８ｂのように複数列円周方向に張設された場合を示す。内部のＰＣ鋼線８ｂは、縦ステー６ａに開口部１７が設けられてその内部に挿通されている。
コンクリート打設用型枠材９の内側にコンクリート７が打設され、所定の固化強度が得られた時期に、ＰＣ鋼線８，８ａ，８ｂにテンションが与えられている。
【００２７】
この発明に係るタンク側板の補強構造は、平底円筒形鋼製タンクの最下段側板２の外面で地震によって座屈変形が生じやすい箇所が含まれるタンク１の底板４上面からの所定高さにわたる部位２ａにおいて、複数のＨ形鋼などの縦ステー６ａがＬ形鋼や帯板鋼などの連結材６ｂでブロック化され、かつ該縦ステー６ａの一端面が側板２外面に密着されて立設される支持枠体６と、この支持枠体６の内部及び又は支持枠体６の外周面にリング状に張設される複数本の緊張させたＰＣ鋼線８と、支持枠体６の内部に連続的に打設されるコンクリート７とで側板に発生するフープ荷重を負担させる耐震補強構造であるので、耐震強度が不足する中小規模の既設タンクの耐震強度を向上させることができる。また、経年劣化による側板の変形防止や底板の浮き上がり防止が図られ、この耐震補強構造とすることによって長く使い続けることができる。コンクリート７による補強構造とすることができるとともに、緊張されたＰＣ鋼線８で側板に発生するフープ荷重を負担させることにより、側板２の強度を増し安全性を向上させることが出来る。
【００２８】
また、この発明に係るタンク側板の補強構造は、地震によって座屈変形が生じやすい箇所が含まれる上記タンク１の最下段側板２の底板４上面からの所定高さにわたる部位２ａに適用されることにより、地震によって側板の変形や座屈、象脚型座屈などの損傷が生じることがなく、地盤の浸水や津波によって浮いたり流されたりするなどの被害が生ずる心配もなくなる。
【００２９】
さらに、この発明に係るタンク側板の補強構造は、地震によって座屈変形された箇所２ｂを含む上記タンク１の最下段側板２の底板４上面からの所定高さにわたる部位２ａに適用する際、該側板２の座屈変形を生じた箇所２ｂと縦ステー６ａとの間に形成される空隙部にスペーサ１２及び又は矢１３が設置されて形成された構造であるので、地震によってタンクの側板の一部が変形や部分座屈、象脚型座屈などで損傷した場合に、座屈変形箇所２ｂの凹凸部にスペーサ１２及び又は矢１３が用いられて垂直面が調整されて確りと力を伝達させ、縦ステー６ａとコンクリート７と緊張されたＰＣ鋼線８で確りと側板に発生するフープ荷重を負担させる耐震補強構造となり、鋼製側板の座屈部塑性変形の拡大やその変形箇所の破壊が抑制される構造体にすることが出来る。
なお、コンクリート７に早強セメントなどが使用されると復旧工事を短縮させることができる。
【００３０】
この発明に係るタンク側板の補強構造の施工法は、平底円筒形鋼製タンクの側板２の底板４上面からの所定高さにわたる部位２ａ、殊に地震によって座屈変形を生じやすい箇所について、複数のＨ形鋼などの縦ステー６ａ（ブロック）を側板２に密着させて立設するステップと、ＰＣ鋼線８をセット用フック１０の上に置いて例えば全周２段張りに仮止めするステップと、コンクリート打設用型枠材９を縦ステー６ａ，６ａ間に落とし込んで設置するステップと、コンクリート打設後に発生する側圧に耐えるＰＣ鋼線を仮緊張するステップと、早強セメントなどのコンクリート７を打設するステップと、所定強度まで固化した後にＰＣ鋼線８を本緊張するステップを有する。
【００３１】
この施工法によると、タンク１の側板２の底板４上面からの座屈変形を生じやすい箇所を含む所定高さ部位２ａを、縦ステー６ａとコンクリート７と緊張させたＰＣ鋼線８で確りと耐震補強することが出来る。また、供用中のタンク設備であっても、予め工場で必要な部材を製作し、現地では溶接などの火気を使用することなく組立て施工を簡素化することにより、作業性良く短期間に耐震補強することが出来る。
殊に地震によって変形や部分座屈、象脚型座屈などで損傷しやすいタンク１の側板２の底板４上面からの所定高さ部位２ａを、縦ステー６ａとコンクリート７と緊張させたＰＣ鋼線８で確りと耐震補強することが出来る。
【００３２】
また、地震によって座屈変形を生じた箇所２ｂを含むタンク１の最下段側板２の底板４上面からの所定高さ部位２ａについては、上記施工の前に、座屈変形を生じた箇所２ｂを含む側板２の外面と縦ステー６ａとの間に形成される空隙部にスペーサ１２及び又は矢１３を用いて垂直面を調整して確りと力を伝達させ縦ステー６ａを押付けて設置するステップを有する。
【００３３】
このように、座屈し変形などの損傷を生じた箇所２ｂを含むタンク１の最下段側板２の底板４上面からの所定高さ部位２ａについて、応急の補修施工をすることが可能となり、損傷箇所の拡大を抑え、二次被害の防止をすることができる。
また、供用中のタンク設備に対しては、補強施工に必要な部材は簡素化し予め工場で製作し、現地では溶接などの火気を使用することなく組立て施工するようにして、作業性良く短期間に補強することが出来る。
【産業上の利用可能性】
【００３４】
上記補強構造及び施工法は、既設のタンクのみならず、耐震性能の向上や津波対策、強風対策などが望まれる新規のタンク、或いはモニュメントなどの構築物にも適用することができる。
【符号の説明】
【００３５】
１タンク      
２側板      
２ａタンク１の底板４上面からの所定高さ部位      
２ｂ側板２の座屈変形を生じた箇所      
３基礎      
４底板      
５屋根      
６支持枠体      
６ａ縦ステー      
６ｂ連結材      
７コンクリート      
８，８ａ，８ｂＰＣ鋼線      
９コンクリート打設用型枠材      
１０ＰＣ鋼線セット用フック      
１１ＰＣ鋼線緊張接続具      
１２スペーサ      
１３矢      
１４サポート      
１５ベース板      
１６アンカー      
１７開口部    
【図１】
0005904394.tif 000002
【図２】
0005904394.tif 000003
【図３】
0005904394.tif 000004
【図４】
0005904394.tif 000005
【図５】
0005904394.tif 000006
【図６】
0005904394.tif 000007
【図７】
0005904394.tif 000008
【図８】
0005904394.tif 000009